(57)【要約】【課題】多階調表示装置において、動画像の表示時に、様々なグラデーションの傾きに対応して、偽輪郭などを低減し、画質を向上できる技術を提供する。【解決手段】本表示装置では、多階調化処理部１において、表示対象の動画像における動き量（ＭＶ）や桁変化信号（ＲＫ）などに加え、グラデーションの傾きの大きさを表すエッジ量（ＧＲ）を検出し、それらに応じて、偽輪郭処置部７１０において、多階調化処理を含む、動画像の偽輪郭に対処するための複数の種類の処理から、適切な処理を選択して実行する。【選択図】図５
2008051833.tif 000002
【特許請求の範囲】
【請求項１】
表示パネルにおける画素群による表示領域及び期間に対応するフィールドが、明るさで重み付けされる複数のサブフィールドに分割されて構成され、入力画像信号をもとに、前記フィールドの画素の階調に応じて、前記サブフィールド単位の点灯のオン／オフの組み合わせへの符号化により、前記表示パネルに対して多階調の動画像を表示する多階調表示装置であって、
前記入力画像信号のフィールド間を比較し、動き部分とその大きさを表す動き量を検出し出力する手段と、
前記入力画像信号の隣接画素の画素値を比較し、グラデーションの傾きの大きさを表すエッジ量を検出し出力する手段と、
前記入力画像信号の隣接画素の画素値のうち一方が所定の第１の階調よりも小さく他方が前記第１の階調以上となる桁変化を検出し、それを表す桁変化信号を、少なくとも桁変化が検出された画素とその周辺の画素において出力する手段と、
前記動き量と前記エッジ量と前記桁変化信号とをもとに、条件として、前記動き量が所定値以上であり、かつ前記桁変化信号が桁変化有りを示す値である場合に、前記動画像の偽輪郭に対処するための複数の種類の処理から、前記エッジ量に応じて処理を選択して実行する信号処理手段と、
前記信号処理手段の出力を入力し、所定のテーブルに従って前記符号化のデータへ変換して前記表示パネルに対して出力する手段とを備えることを特徴とする多階調表示装置。
【請求項２】
表示パネルにおける画素群による表示領域及び期間に対応するフィールドが、明るさで重み付けされる複数のサブフィールドに分割されて構成され、入力画像信号をもとに、前記フィールドの画素の階調に応じて、前記サブフィールド単位の点灯のオン／オフの組み合わせへの符号化により、前記表示パネルに対して多階調の動画像を表示する多階調表示装置であって、
前記入力画像信号のフィールド間を比較し、動き部分とその大きさを表す動き量を検出し出力する手段と、
前記入力画像信号の隣接画素の画素値を比較し、グラデーションの傾きの大きさを表すエッジ量を検出し出力する手段と、
前記入力画像信号を入力し、メインパスとして、多階調化処理した第１の画像信号を出力するメインパス手段と、
前記入力画像信号を入力し、第１サブパスとして、変調処理した第２の画像信号を出力する第１サブパス手段と、
前記入力画像信号を入力し、第２サブパスとして、前記メインパスよりも少ない階調数の第３の画像信号を出力する第２サブパス手段と、
前記メインパスの前記第１の画像信号を入力し、隣接画素の画素値のうち一方が所定の第１の階調よりも小さく他方が前記第１の階調以上となる桁変化を検出し、それを表す桁変化信号を、少なくともその検出された画素とその周辺の画素において出力する手段と、
前記動き量と前記エッジ量と前記桁変化信号とを入力し、それらをもとに、前記第１〜第３の画像信号のうち一つを切り換えて出力する切換手段と、
前記切換手段の出力を入力し、所定のテーブルに従って前記符号化のデータへ変換して前記表示パネルに対して出力する手段とを備え、
前記切換手段は、
第１の条件として、前記動き量が所定値以上であり、前記桁変化信号が桁変化有りを示す値であり、前記エッジ量が第１の閾値以上である場合、前記第３の画像信号を選択し、
第２の条件として、前記動き量が所定値以上であり、前記桁変化信号が桁変化有りを示す値であり、前記エッジ量が第２の閾値以上であり前記第１の閾値よりも小さい場合、前記第２の画像信号を選択し、
前記第１と第２の条件以外の場合、前記第１の画像信号を選択することを特徴とする多階調表示装置。
【請求項３】
請求項２記載の多階調表示装置において、
前記第１サブパス手段は、前記変調処理をディザ処理により行うことを特徴とする多階調表示装置。
【請求項４】
請求項２記載の多階調表示装置において、
前記第１サブパス手段は、前記変調処理を誤差拡散処理により行うことを特徴とする多階調表示装置。
【請求項５】
請求項４記載の多階調表示装置において、
前記第１サブパス手段は、歪補正ゲイン処理を行う手段と、データ整合ルックアップテーブル処理を行う手段とを備えることを特徴とする多階調表示装置。
【請求項６】
表示パネルにおける画素群による表示領域及び期間に対応するフィールドが、明るさで重み付けされる複数のサブフィールドに分割されて構成され、入力画像信号をもとに、前記フィールドの画素の輝度に応じて、前記サブフィールド単位の点灯のオン／オフの組み合わせへの符号化により、前記表示パネルに対して多階調の動画像を表示する多階調表示装置であって、
前記入力画像信号のフィールド間を比較し、動き部分とその大きさを表す動き量を検出し出力する手段と、
前記入力画像信号の隣接画素の画素値を比較し、グラデーションの傾きの大きさを表すエッジ量を検出し出力する手段と、
前記入力画像信号を入力し、メインパスとして、多階調化処理した第１の画像信号を出力するメインパス手段と、
前記入力画像信号と前記エッジ量とを入力し、第１サブパスとして、前記エッジ量に応じて変調量を変化させて変調処理した第２の画像信号を出力する第１サブパス手段と、
前記入力画像信号を入力し、第２サブパスとして、前記メインパスよりも少ない階調数の第３の画像信号を出力する第２サブパス手段と、
前記メインパスの出力の前記第１の画像信号を入力し、隣接画素の画素値のうち一方が所定の第１の階調よりも小さく他方が前記第１の階調以上となる桁変化を検出し、それを表す桁変化信号を、少なくともその検出された画素とその周辺の画素において出力する手段と、
前記動き量と前記エッジ量と前記桁変化信号とを入力し、それらをもとに、前記第１〜第３の画像信号のうち一つを切り換えて出力する切換手段と、
前記切換手段の出力を入力し、所定のテーブルに従って前記符号化のデータに変換して前記表示パネルに対して出力する手段とを備え、
前記切換手段は、
第１の条件として、前記動き量が所定値以上であり、前記桁変化信号が桁変化有りを示す値であり、前記エッジ量が第１の閾値以上である場合、前記第３の画像信号を選択し、
第２の条件として、前記動き量が所定値以上であり、前記桁変化信号が桁変化有りを示す値であり、前記エッジ量が第２の閾値以上であり前記第１の閾値よりも小さい場合、前記第２の画像信号を選択し、
前記第１と第２の条件以外の場合、前記第１の画像信号を選択することを特徴とする多階調表示装置。
【請求項７】
請求項６記載の多階調表示装置において、
前記第１サブパス手段は、前記変調処理をディザ処理により行うことを特徴とする多階調表示装置。
【請求項８】
表示パネルにおける画素群による表示領域及び期間に対応するフィールドが、明るさにで重み付けされる複数のサブフィールドに分割されて構成され、入力画像信号をもとに、前記フィールドの画素の輝度に応じて、前記サブフィールド単位の点灯のオン／オフの組み合わせへの符号化により、前記表示パネルに多階調の動画像を表示する多階調表示装置であって、
前記入力画像信号のフィールド間を比較し、動き部分とその大きさを表す動き量を検出し出力する手段と、
前記入力画像信号の隣接画素の画素値を比較し、グラデーションの傾きの大きさを表すエッジ量を検出し出力する手段と、
隣接画素の画素値のうち一方が所定の第１の階調よりも小さく他方が前記第１の階調以上となる桁変化を検出し、それを表す桁変化信号を、少なくともその検出された画素とその周辺の画素において出力する手段と、
前記入力画像信号と前記動き量と前記エッジ量と前記桁変化信号とを入力し、メインパスとして、多階調化処理と、前記動き量が所定値以上でありかつ前記桁変化信号が桁変化有りを示す値である場合に前記エッジ量に応じた変調量での変調処理と、を施した第１の画像信号を出力するメインパス手段と、
前記入力画像信号を入力し、サブパスとして、前記メインパスよりも少ない階調数の第２の画像信号を出力するサブパス手段と、
前記動き量と前記エッジ量と前記桁変化信号とを入力し、それらをもとに、前記第１と第２の画像信号のうち一つを切り換えて出力する切換手段と、
前記切換手段の出力を入力し、所定のテーブルに従って前記符号化のデータへ変換して前記表示パネルに対して出力する変換手段とを備え、
前記切換手段は、
第１の条件として、前記動き量が所定値以上であり、前記桁変化信号が桁変化有りを示す値であり、前記エッジ量が第１の閾値以上である場合、前記第２の画像信号を選択し、
前記第１の条件以外の場合、前記第１の画像信号を選択することを特徴とする多階調表示装置。
【請求項９】
請求項８記載の多階調表示装置において、
前記桁変化信号を出力する手段は、前記変換手段で変換する階調数と同じ階調数の信号を入力することを特徴とする多階調表示装置。
【請求項１０】
請求項８記載の多階調表示装置において、
前記メインパス手段は、前記変調処理をディザ処理により行うことを特徴とする多階調表示装置。
【請求項１１】
表示パネルにおける画素群による表示領域及び期間に対応するフィールドが、明るさで重み付けされる複数のサブフィールドに分割されて構成され、入力画像信号をもとに、前記フィールドの画素の階調に応じて、前記サブフィールド単位の点灯のオン／オフの組み合わせへの符号化により、前記表示パネルに対して多階調の動画像を表示する多階調表示装置であって、
前記入力画像信号のフィールド間を比較し、動き部分とその大きさを表す動き量を検出し出力する手段と、
前記入力画像信号の隣接画素の画素値を比較し、グラデーションの傾きの大きさを表すエッジ量を検出し出力する手段と、
前記入力画像信号を入力し、メインパスとして、多階調化処理した第１の画像信号を出力するメインパス手段と、
前記入力画像信号を入力し、第１サブパスとして、変調処理した第２の画像信号を出力する第１サブパス手段と、
前記入力画像信号を入力し、第２サブパスとして、前記メインパスよりも少ない階調数の第３の画像信号を出力する第２サブパス手段と、
前記動き量と前記エッジ量とを入力し、それらをもとに、前記第１〜第３の画像信号のうち一つを切り換えて出力する切換手段と、
前記切換手段の出力を入力し、所定のテーブルに従って前記符号化のデータへ変換して前記表示パネルに対して出力する手段とを備え、
前記切換手段は、
第１の条件として、前記動き量が所定値以上であり、前記エッジ量が第１の閾値以上である場合、前記第３の画像信号を選択し、
第２の条件として、前記動き量が所定値以上であり、前記エッジ量が第２の閾値以上であり前記第１の閾値よりも小さい場合、前記第２の画像信号を選択し、
前記第１と第２の条件以外の場合、前記第１の画像信号を選択することを特徴とする多階調表示装置。
【発明の詳細な説明】
【技術分野】
【０００１】
本発明は、プラズマディスプレイ装置（ＰＤＰ装置）など、表示パネルに対して多階調（多階調化）の表示制御及び処理を行う多階調表示装置（ディジタル表示装置）の技術に関する。特に、映像（動画像）の画質を向上するために偽輪郭（擬似輪郭）に対処する信号処理などに関する。
【背景技術】
【０００２】
従来のＰＤＰ装置、ＬＣＤ（液晶表示装置）、有機ＥＬディスプレイなどの表示装置においては、入力画像（映像）信号をもとに多階調表示制御することにより、表示パネルに対して多階調の画素群による動画像を表示している。いわゆるサブフィールド法において、表示パネルの表示領域（画面）及び期間に対応する１つのフィールド（フレームともいう）を、階調表現のために、所定の輝度（明るさ）の比の重み付けで複数のサブフィールド（サブフレームともいう）に分割した構成とする。この構成において、多階調表示制御は、サブフィールド単位で画素（表示セル）毎に点灯状態（オン）または非点灯状態（オフ）の組み合わせに符号化すること、換言すればサブフィールドデータに変換することにより行っている。
【０００３】
従来のＰＤＰ装置などにおける多階調表示の映像において、画面のサイズ、画素数、映像内容などにも依るが、ある速さを超えて動いている目標物を視線で追いかけると、偽輪郭と呼ばれる現象が認識される。
【０００４】
偽輪郭を低減するための方法の１つとして、重ね合せ法がある。この方法は、２つのＳＦ点灯表（ＳＦ変換テーブル）を空間的に千鳥状に重ね合わせるものである。
【０００５】
また、他の方法として、偽輪郭の分散法がある。この分散法としては、誤差拡散法や、特開２００５−３０１３０２号公報（特許文献１）に記載の画素値入換法や、特開２００３−１５５８７号公報（特許文献２）に記載のＳＦ変換切換法などが提案されている。ＳＦ変換切換法は、複数のＳＦ変換ＬＵＴ（ルックアップテーブル）から絵柄によって切り換えるものである。
【０００６】
また、他の方法として、特許３３２２８０９号公報（特許文献３）、特許３３６５６３０号公報（特許文献４）に記載されているようなパス切換法がある。パス切換法は、階調処理等の経路となるメインパスとサブパスとを切り換えるものであり、偽輪郭を防止することができる。
【０００７】
さらに上記パス切換法を改良した方法として、動き量に応じて、ディザの変調量を変化させる方法（動き適応ディザ法）やパスを切り換える方法（特開２００６−６４７４３号公報（特許文献５）に記載）が提案されている。
【特許文献１】特開２００５−３０１３０２号公報
【特許文献２】特開２００３−１５５８７号公報
【特許文献３】特許３３２２８０９号公報
【特許文献４】特許３３６５６３０号公報
【特許文献５】特開２００６−６４７４３号公報
【発明の開示】
【発明が解決しようとする課題】
【０００８】
前記偽輪郭を低減するための方法では、例えば以下のような問題がある。前記重ね合せ法の副作用としては、動いている映像でハッチ状（千鳥状）のノイズが認識されてしまう。そのハッチ状のノイズは、比較的早く動いている場合は複数の画素に跨って視線が移動するので、ハッチ状のノイズを打ち消しあうため認識され難いが、ゆっくり動いている場合はハッチ状のノイズが認識されてしまう。
【０００９】
前記分散法は、誤差拡散法、画素値入換法、ＳＦ変換切換法の何れも、映像におけるグラデーションの領域に応じて効果の有無がある。即ち、グラデーションが緩やかな部分では、等高線状に認識される偽輪郭に対しては効果が有るが、エッジ量が大きい輪郭部分、換言すればグラデーションが急な部分では、効果が無い。なお、グラデーションは、画素間の階調の傾き、エッジ量（輝度の変化量）と対応付けられる。
【００１０】
前記パス切換法では、メインパスの滑らかな階調表現に対して、サブパスの誤差拡散処理による粒状ノイズが大きく、グラデーションが急な部分では粒状ノイズが目立たないが、グラデーションが緩やかな映像領域において、メインパスからサブパスに切り換わった部分では、切り換えショックとして違和感がある。
【００１１】
前記動き適応ディザ法は、グラデーション部分ではディザの模様が認識され難いが、グラデーションが非常に緩やかな部分において、動き量が所定値以上の領域を広範囲に検出すると、ディザによるハッチ状のノイズが広い面積で目立ってしまう。
【００１２】
また、従来のパス切換法を使った偽輪郭の低減には、動き検出の精度が要求され、メインパスからサブパスへ切り換わるべきところで切り換わることができなかったり、その逆に切り換わるべきでないところで切り換わってしまったり等、動き量によってパスを切り換えることが非常に難しい。
【００１３】
以上のように、偽輪郭を低減するための手法は幾つも提案されているが、特に、それぞれ映像におけるグラデーションの傾きに応じて効果の有無などが存在し、全てのグラデーションの傾きに対応した手法は存在しなかったという問題がある。
【００１４】
本発明は以上のような問題に鑑みてなされたものであり、その目的は、多階調の制御により動画像を表示するＰＤＰ装置などの表示装置において、動画像の表示時に、様々なグラデーションの傾きに対応して、偽輪郭などによる乱れ・ノイズを低減し、画質を向上できる技術を提供することにある。
【課題を解決するための手段】
【００１５】
本願において開示される発明のうち、代表的なものの概要を簡単に説明すれば、次のとおりである。前記目的を達成するために、本発明は、入力画像信号をもとにサブフィールド法により多階調の表示制御及び処理を行って表示パネルに対して動画像を表示するＰＤＰ装置などの表示装置の技術であって、以下に示す技術的手段を備えることを特徴とする。本表示装置では、例えば、表示パネルに対する駆動及び制御のための回路部において、多階調の表示制御及び処理を行う回路が構成される。
【００１６】
（１）本表示装置では、表示対象の動画像における、動き量などに加え、従来は考慮が不十分であったグラデーションを考慮し、それに応じて、多階調化処理を含む、動画像の偽輪郭に対処するための複数の種類の処理から、適切な処理を選択して実行する。本表示装置では、表示対象の動画像におけるグラデーションの傾きの程度や部分領域を検出して判定し、また、グラデーションの傾きの大きさに対応する量として、隣接画素間のエッジ量（ＧＲ）を算出して用いる。
【００１７】
本表示装置は、表示パネルにおける画素群による表示領域及び期間に対応するフィールドが、明るさで重み付けされる複数のサブフィールドに分割されて構成され、入力画像信号をもとに、フィールドの画素の階調に応じて、サブフィールド単位の点灯のオン／オフの組み合わせへの符号化により、表示パネルに対して多階調の動画像を表示する多階調表示装置である。本表示装置は、入力画像信号の動き部分とその大きさを表す動き量（ＭＶ）を検出し出力する手段（動き検出部）と、入力画像信号のグラデーションの傾きの大きさを表すエッジ量（ＧＲ）を検出し出力する手段（絵柄検出部）と、入力画像信号の隣接画素間の桁上がりや桁下がりといった桁変化（桁跨ぎ）を検出しそれを表す桁変化信号（ＲＫ）を出力する手段（桁変化検出部）とを備える。本表示装置は、ＭＶ，ＧＲ，ＲＫをもとに、条件として、ＭＶが所定値以上であり、かつＲＫが桁変化有りを示す値である場合に、偽輪郭に対処するための複数の種類の処理から、ＧＲに応じて処理を選択して実行する信号処理手段と、信号処理手段の出力を入力し、所定のテーブルに従って符号化のデータへ変換して表示パネルに対して出力する手段とを備える。桁変化検出部における桁変化信号としては、例えば桁変化を検出した場合にその論理値を“０”から“１”に切り換えて出力する。
【００１８】
（２）また、本表示装置は、例えば以下の構成である。入力画像信号の動き量（ＭＶ）を検出して出力する手段（動き検出部）と、入力画像信号のエッジ量（ＧＲ）を検出して出力する手段（絵柄検出部）と、隣接画素間の桁変化を検出しそれを表す桁変化信号（ＲＫ）を、少なくとも桁変化が検出された画素とその周辺（隣接画素）において出力する手段（桁変化検出部）とを備える。本表示装置は、入力画像信号を入力して、表示パネル及びその駆動制御部に対して出力するデータの処理における複数のパスを切り換える手段として以下を有する。第１に、偽輪郭が認識されない領域で階調数を優先させるメインパスとして、多階調化処理した第１の画像信号（ＭＰ）を出力するメインパス手段と、第２に、偽輪郭を拡散するための第１サブパス（サブパスＡ）として、変調処理した第２の画像信号（ＳＰＡ）を出力する第１サブパス手段と、第３に、偽輪郭が発生し難いサブフィールド（サブフィールド点灯パターン）を選択表示するための第２サブパス（サブパスＢ）として、メインパスよりも少ない階調数の第３の画像信号（ＳＰＢ）を出力する第２サブパス手段とを備える。また、本表示装置は、桁変化検出部では、メインパスの出力の第２の画像信号（ＭＰ）を入力し、桁変化信号（ＲＫ）を出力する。また、本表示装置は、前記ＭＶ，ＧＲ，ＲＫを入力し、それらをもとに、前記ＭＰ，ＳＰＡ，ＳＰＢのうち一つを選択して出力する切換手段と、切換手段の出力を入力して、所定のサブフィールドの組み合わせのパターンが記録されているテーブルに従ってサブフィールド毎の点灯のオン／オフの組み合わせの符号化のデータ（フィールド及びサブフィールドデータ）に変換して出力する変換手段とを備える。
【００１９】
そして、本表示装置は、切換手段では、第１の条件として、ＭＶが所定値以上である動画部分であり、かつＧＲが第１の閾値（ＥＧ）以上で大きい場合、つまりグラデーションの傾きが急なエッジ（輪郭）部分では、第２サブパスを選択し、第２の条件として、ＭＶが所定値以上である動画部分であり、かつＧＲが所定範囲内で（第２の閾値（ＦＬＴ）以上であり第１の閾値（ＥＧ）よりも小さい場合）、エッジ部分ではなく平坦でもない場合、つまりある程度の傾きのグラデーション部分では、第１サブパスを選択し、第３の条件として、その他の場合、つまり平坦部などでは、メインパスを選択して出力する。これらにより、動画像における偽輪郭が低減または防止される。
【発明の効果】
【００２０】
本願において開示される発明のうち、代表的なものによって得られる効果を簡単に説明すれば以下のとおりである。本発明によれば、多階調の制御により動画像を表示するＰＤＰ装置などの表示装置において、動画像の表示時に、様々なグラデーションの傾きに対応して、偽輪郭などによる乱れ・ノイズを低減し、画質を向上できる技術を提供することにある。
【００２１】
また、特に、映像のグラデーション部分で発生する偽輪郭をディザ処理などによって拡散させることができ、かつ、グラデーションが緩やかな部分では誤差拡散処理などによってハッチ状のノイズを目立たなくすることができ、またグラデーションが急なエッジ部分で発生する偽輪郭を、偽輪郭が発生しにくいサブフィールド点灯パターンを使用することにより低減または防止できる。
【発明を実施するための最良の形態】
【００２２】
以下、本発明の実施の形態を図面に基づいて詳細に説明する。なお、実施の形態を説明するための全図において、同一部には原則として同一符号を付し、その繰り返しの説明は省略する。
【００２３】
＜偽輪郭＞
まず、図２７〜図２９において、従来のＰＤＰ装置において発生する偽輪郭について簡単に説明する。例として、連続する横１０画素のサブフィールド（ＳＦ）点灯状況を示している。
【００２４】
図２７において、各画素（Ｘ１〜Ｘ１０）の階調（輝度）は、左側から、６３，６３，６３，６３，６３，６４，６４，６４，６４，６４となっている。即ち、左側５画素が６３であり、右側５画素が６４である。この連続する１０画素の画素値の領域が、例えば、右方向に１フィールドで１画素動く映像（絵）の場合である。この場合、人間はそれに追従して１フィールド１画素の速さで視線を動かすため、点線矢印で示すようにＳＦを跨る。その結果、視認される輝度は、左側から、６３，６３，６３，６３，４３，６４，６４，６４，６４となる。即ち、左から５画素目、６３と６４の間で、４３という、静止画（本来の階調値）の６３とは異なる暗い輝度（階調）を表現してしまい、これが偽輪郭として認識される。
【００２５】
また、図２８において、同様に、他の偽輪郭の場合を示している。横１０画素（Ｘ１〜Ｘ１０）において、左側５画素の階調が１５で、右側５画素の階調が６４であるエッジ（輪郭）部分が、右方向に１フィールドで１画素、動いている映像である。左から５画素目に、階調が１５と６４の間の明るさ（階調が４０）が認識される。つまり、エッジ部分がぼやけて認識される。
【００２６】
また、図２９において、同様に、他の偽輪郭の場合を示している。横１０画素（Ｘ１〜Ｘ１０）において、左側５画素の階調が１５で、右側５画素の階調が６４であるエッジ（輪郭）部分が、右方向に１フィールドで４画素、動いている映像である。左から３〜５画素目に、本来の明るさとは異なる明るさ（階調が１２，４０，４０）が認識される。つまり、エッジ部分が、図２８の場合よりもぼやけて幅が広く認識される。
【００２７】
（実施の形態１）
図１〜図５等を参照しながら実施の形態１の表示装置について説明する。実施の形態１は、特徴として、多階調化処理部において、入力画像信号に対して、動き、グラデーション、及び桁変化の検出をもとに、特にグラデーション（エッジ量）に応じて偽輪郭の処置のための信号処理を選択して実行するものである。
【００２８】
＜ＰＤＰ装置＞
まず、図１において、各実施の形態における、多階調化処理手段を含む表示装置であるＰＤＰ装置の全体の構成を説明する。本ＰＤＰ装置は、多階調化処理部１、フィールドメモリ部２、駆動制御部（ドライバ）３、表示部（ＰＤＰ）４、タイミング生成部５を有する構成である。制御及び信号処理回路６内に、多階調化処理部１、フィールドメモリ部２、タイミング生成部５を有し、駆動制御部３などを制御する。
【００２９】
多階調化処理部１は、入力画像信号（映像信号）ＶＩＮをもとに、表示部４及び駆動制御部３に対する多階調の画素群のデータ（フィールド及びＳＦデータ）の出力のための多階調化処理を実行して出力する。フィールドメモリ部２は、多階調化処理部１の出力データを入力して一旦記憶し、次のフィールドの時に、ＳＦ毎に全画面分を出力する。駆動制御部３は、フィールドメモリ部２からデータを入力して、表示部４における表示を駆動制御する。タイミング生成部５は、垂直同期信号ＶＳ、水平同期信号ＨＳ、クロック信号ＣＬＫなどを入力して、多階調化処理部１、フィールドメモリ部２、駆動制御部３及び表示部４等を制御するのに必要なタイミング信号を生成及び出力する。
【００３０】
駆動制御部３は、例えば、表示部４のＸ電極を電圧印加により駆動するＸドライバ３１、表示部４のＹ電極を電圧印加により駆動するＹドライバ３２、表示部４のアドレス電極を電圧印加により駆動するＡドライバ（アドレスドライバ）３３を有する。表示部４は、例えば、表示の維持放電を発生させるためのＸ電極及びＹ電極、並びにアドレス動作のためのアドレス電極を有する、ＡＣ型の三電極構造のＰＤＰである。
【００３１】
＜ＰＤＰ＞
次に、図２において、表示部（ＰＤＰ）４のパネル構造例を説明する。画素に対応した一部分を示している。表示部（ＰＤＰ）４は、主に発光ガラスで構成される前面基板１１及び背面基板１２の構造体が対向して組み合わされ、その周囲部が封止され、その空間に放電ガスが封入されることにより構成される。
【００３２】
前面基板１１上には、維持放電を行うための複数のＸ電極２１及びＹ電極２２が、横（行）方向に平行に伸びて縦（列）方向に交互に形成されている。これらの電極群は、誘電体層２３及び更にその表面がＭｇＯ等の保護層２４により覆われている。背面基板１２上には、Ｘ電極２１及びＹ電極２２とは略垂直の縦方向に、複数のアドレス電極２５が平行に伸びて形成されており、更に誘電体層２６に覆われている。誘電体層２６上、アドレス電極２５の両側には、縦方向に伸びる隔壁２７が形成され、列方向を区分けしている。更に、アドレス電極２５上の誘電体層２６上面、及び隔壁２７側面には、紫外線により励起されて赤（Ｒ），緑（Ｇ），青（Ｂ）の各色の可視光を発生する蛍光体２８が塗布されている。
【００３３】
Ｘ電極２１とＹ電極２２の対に対応して表示の行が構成され、更にアドレス電極２５との交差に対応して表示の列及びセルが構成される。Ｒ，Ｇ，Ｂのセルのセットにより画素が構成される。セルの行列により表示部４の表示領域が構成され、表示単位となるフィールド及びＳＦに対応付けられる。ＰＤＰは、駆動方式などに応じて各種構造が存在する。
【００３４】
＜フィールド及びＳＦ＞
次に、図３において、表示部（ＰＤＰ）４の駆動制御の基本として、フィールド及びＳＦの駆動方式を説明する。１つのフィールド期間（Ｆ）は、例えば１／６０秒で表示される。フィールド期間（Ｆ）は、階調表現のために時間的に分割された複数（ｎ）のＳＦ期間（＃１〜＃ｎ）により構成される。各ＳＦ期間は、リセット期間（ＴＲ）と、次のアドレス期間（ＴＡ）と、次のサステイン期間（ＴＳ）とを有する。フィールドの各ＳＦは、サステイン期間（ＴＳ）の長さ（維持放電回数）による重み付けが与えられており、各ＳＦの点灯オン／オフの組み合わせによって画素の階調が表現される。
【００３５】
リセット期間（ＴＲ）では、ＳＦの全てのセルを初期状態にセットして、次のアドレス期間（ＴＡ）に備えるための電荷書き込み及び調整の動作を実施する。次のアドレス期間（ＴＡ）では、ＳＦのセル群における点灯（オン）／非点灯（オフ）のセルを選択するアドレス動作を行う。次のサステイン期間（ＴＳ）では、直前のアドレス期間（ＴＡ）でアドレスされた選択セルにおいて、Ｘ電極及びＹ電極（２１，２２）に対する維持放電を実施して表示する動作を行う。
【００３６】
＜階調表現及びＳＦ変換テーブル＞
次に、図４において、ＳＦ変換テーブル（ＳＦ点灯パターン表）の構成例を示している。ＳＦ変換テーブルは、表示対象画像における画素の階調毎に、フィールドの各ＳＦのオン／オフ状態を決定付ける。本例は、等差配列法のＳＦ点灯パターンであり、本実施の形態ではこれを用いる。丸印は点灯（オン）を、空欄は非点灯（オフ）を示す。本テーブルの場合、フィールドのＳＦ数は＃１〜＃８の８個であり、それぞれ図示するような重み（１，２，４，８，１２，１６，２０，２４）が与えられており、これらのオン／オフの組み合わせにより８７（０も含めて８８）の階調が表現できる。また、本テーブルでの桁変化として、例えば、階調が６３から６４への変化における、最大点灯ＳＦが＃７から＃８への桁上がりなど、複数の箇所が存在する。
【００３７】
＜多階調化処理部（１）＞
次に、図５において、実施の形態１における多階調化処理部１の構成の概要を説明する。多階調化処理部１は、動き検出部１００、絵柄検出部（グラデーション検出部）２００、桁変化検出部６００、偽輪郭処置部７１０、ＳＦ変換部８００を有する構成である。
【００３８】
動き検出部１００は、入力画像信号ＶＩＮを入力し、映像における動いている部分の動きの大きさを表す動き量ＭＶを検出して出力する。絵柄検出部２００は、ＶＩＮを入力し、画像における注目画素と隣接画素との画素値の差分を算出してエッジ量ＧＲを検出及び出力する。桁変化検出部６００は、ＶＩＮを入力し、画像における隣接画素間で所定のＳＦ変換テーブルのＳＦの桁上がり又は桁下がりを検出し、これらの桁変化が有る場合には、桁変化信号ＲＫとして論理値“１”を出力し、無い場合には論理値“０”を出力する。
【００３９】
偽輪郭処置部７１０は、信号処理回路であり、ＶＩＮと、ＭＶとＧＲとＲＫとを入力し、それらをもとに、偽輪郭に対処するための信号処理を選択して実行し、処理後の信号を出力する。
【００４０】
ＳＦ変換部８００は、偽輪郭処置部７１０の出力信号を入力し、所定のＳＦ変換テーブルに応じた符号化（ＳＦ変換）によって、フィールドの各ＳＦのオン／オフを制御する信号（フィールド及びＳＦデータ）ＳＦＯを出力する。ＳＦ変換部８００には、例えば図４のようなＳＦ変換テーブルが記録されている。
【００４１】
偽輪郭処置部７１０では、偽輪郭に対処するための信号処理として、例えば、偽輪郭が認識されない領域で階調数を優先させる多階調化処理（第１の処理）と、偽輪郭を拡散するための変調処理（第２の処理）と、偽輪郭が発生しにくいＳＦを選択表示する、前記第１の処理よりも少ない階調数での多階調化処理（第３の処理）とを有し、ＭＶ，ＧＲ，ＲＫの条件判定に従って、第１〜第３の処理から選択して実行する。偽輪郭処置部７１０は、条件判定として、例えば、ＭＶが所定値以上となる動き部分であり、かつＲＫが“１”（桁変化有り）である場合に、エッジ量ＧＲによって信号処理及びその内容を選択して実行する。
【００４２】
実施の形態１によれば、特にエッジ量ＧＲに応じて適切な信号処理を選択するため、動画像の表示時に、様々なグラデーションに対応して、偽輪郭などを低減または抑止して、画質を向上できる。
【００４３】
（実施の形態２）
次に、図６〜図３２等を参照しながら実施の形態２について説明する。実施の形態２は、特徴として、多階調化処理部において、入力画像信号に対して、動き、グラデーション、及び桁変化の検出をもとに、偽輪郭の処置のための複数の処理のパスを切り替えるものである。
【００４４】
＜多階調化処理部（２）＞
図６において、実施の形態２における多階調化処理部１の構成の概要を説明する。多階調化処理部１は、動き検出部１００、絵柄検出部（グラデーション検出部）２００、ゲイン部３１０、メインパス部３００、サブパスＡ部（第１サブパス部）４００、サブパスＢ部（第２サブパス部）５００、桁変化検出部６００、切換部７００、及びＳＦ変換部８００を有する構成である。
【００４５】
動き検出部１００は、ＶＩＮを入力し、映像における動き部分の動きの大きさを表す動き量ＭＶを検出して出力する。絵柄検出部２００は、ＶＩＮを入力し、グラデーションの傾きの大きさを表す量として、隣接画素との画素値の差分の算出によるエッジ量ＧＲを検出及び出力する。
【００４６】
ゲイン部３１０は、ＶＩＮを入力し、これにゲインをかけて、ＳＦ変換部８００に記憶されているＳＦ変換テーブルの階調数の信号ＭＧＯを出力する。例えばＶＩＮが１０ビット１０２４階調でありＳＦ変換テーブルが８７階調であるとすると、８７／１０２４のゲインをかける。ここで、８７階調は７ビットなので、３ビットは小数になる。
【００４７】
メインパス部３００は、メインパスの処理として、ＭＧＯを入力し、多階調化処理した信号ＭＰを出力する。信号ＭＰの出力階調数は、後述するＳＦ変換部８００に記録されているＳＦ変換テーブルでの階調数と同じである。サブパスＡ部４００は、第１サブパスの処理として、ＭＧＯを入力し、変調処理した信号ＳＰＡを出力する。サブパスＢ部５００は、第２サブパスの処理として、メインパスよりも少ない階調数の信号ＳＰＢを出力する。換言すれば、サブパスＢ部５００の処理は、サブパスＡ部４００の変調処理よりも大きい変調処理である。
【００４８】
桁変化検出部６００は、信号ＭＰを入力し、隣接画素間でＳＦ変換テーブルのＳＦの桁上がり又は桁下がりを検出し、これらの桁変化が有る場合には、桁変化信号ＲＫとして論理値“１”を出力し、無い場合には“０”を出力する。
【００４９】
切換部７００は、前記ＭＰ，ＳＰＡ，ＳＰＢ、並びに、ＭＶ，ＧＲ，ＲＫを入力し、ＭＶ，ＧＲ，ＲＫをもとに、複数のパスにおけるＭＰとＳＰＡとＳＰＢの何れか一つを切り替えて出力する。ＳＦ変換部８００は、切換部７００の出力信号を入力し、記憶されている所定のＳＦ変換テーブルに従って、フィールドの各ＳＦのオン／オフを制御する信号（フィールド及びＳＦデータ）ＳＦＯを生成及び出力する。
【００５０】
＜データ変換偏移＞
次に、図８において、メインパス（出力ＭＰ）、サブパスＡ（出力ＳＰＡ），サブパスＢ（出力ＳＰＢ）におけるデータ変換の偏移を示している。ＭＳＦは、メインパス及びサブパスＡのＳＦ点灯パターンデータ群、Ｓ１ＳＦは、後述するサブパスＡ−２におけるデータ変換の偏移、Ｓ２ＳＦは、サブパスＢのＳＦ点灯パターンデータ群であり、ＳＦ変換部８００のＳＦ変換テーブルに記録されている。「選択」の列における丸印の階調は、該当パスで表現できる選択された階調である。階調は、メインパスとサブパスＡでは０を含む８７であり、後述するサブパスＡ−２では０を含め４３であり、サブパスＢでは０を含め９である。
【００５１】
＜制御（２−１）＞
次に、図７において、実施の形態２の多階調化処理部１における処理の切り換え等の制御をまとめて示している。動き量ＭＶと桁変化信号ＲＫ、及びエッジ量ＲＧの検出状況に応じた、各パスのディザ処理（変調処理）、切換部７００のパス選択、及びＳＦ変換部８００で選択されるＳＦ点灯パターンデータ群（ＳＦパターン選択）といった処理内容を示している。多階調化処理部１は、下記のように切り換えを行う。なおディザ処理等の処理の詳細については後述される。
【００５２】
（１）表示対象の映像において、動き量ＭＶが所定値Ｘ以上であり、桁上がりが検出（ＲＫ＝１）された画素において、エッジ量ＧＲが所定値ＦＬＴよりも小さい場合、つまり平坦部の場合、ディザ処理では変調量Ｍｉでの変調処理またはオフ（非処理）の何れとしてもよく、また、パス選択ではメインパス（ＭＰ出力）を選択し、また、ＳＦパターン選択ではＭＳＦを使って映像を表現する。
【００５３】
（２）また上記同様の画素において、エッジ量ＧＲがＦＬＴ以上でありＥＧよりも小さい場合、つまりある程度のグラデーションの場合、ディザ処理ではＭｉで変調処理し、パス選択ではサブパスＡを選択し、ＳＦパターン選択ではＭＳＦで映像を表現する。
【００５４】
（３）また上記同様の画素において、エッジ量ＧＲがＥＧ以上である場合、つまりエッジ部分の場合、ディザ処理ではＭｉでの変調処理またはオフとして、パス選択ではサブパスＢを選択し、ＳＦパターン選択ではＳ２ＳＦで映像を表現する。
【００５５】
（４）また、動き量と桁上がりの検出結果が上記以外となる場合、ディザ処理ではＭｉまたはオフの何れとしてもよく、パス選択ではメインパスを選択し、ＳＦパターン選択ではＭＳＦで映像を表現する。
【００５６】
＜メインパス＞
次に、図６において、多階調化処理部１のメインパス部３００の構成を説明する。メインパス部３００は、Ｍディザ部３２０、Ｍ誤差拡散部３４０を有する構成である。
【００５７】
Ｍディザ部３２０は、ゲイン部３１０の出力の信号ＭＧＯを入力し、所定の変調量Ｍによって入力信号を変調した信号ＭＤＯを出力する。変調量Ｍは、Ｍディザ部３２０の入力値（ＭＧＯ）に対して、図１９に示すような関係がある。メインパス部３００における変調量Ｍは、０でもよい。
【００５８】
Ｍ誤差拡散部３４０は、Ｍディザ部３２０の出力信号ＭＤＯを入力し、前記ゲイン部３１０の小数を空間的に表現するために拡散処理して信号ＭＰを出力する。ＭＰの階調数は、ＳＦ変換部８００に入力する階調数と同じ８７であり、ビット数は７である。ＭＰの出力値は、図８のＭＫ列である。
【００５９】
＜サブパスＡ−１＞
次に、図６において、多階調化処理部１のサブパスＡ部４００の構成を説明する。サブパスＡ部４００は、ＳＡディザ部４２０、ＳＡ誤差拡散部４４０を有する構成である。
【００６０】
サブパスＡ部４００の入力はＭＧＯであり、出力はＳＰＡである。ＳＡゲイン部４０１は、その回路がメインパス部３００のゲイン部３１０と同じであり、入力はＶＩＮで、出力はＳＧＯであり、ゲインはゲイン部３１０と同じである。ＳＡディザ部４２０は、その回路がメインパス部３００のＭディザ部３２０と同じであり、入力はＭＧＯであり、変調量Ｍにより変調処理した信号ＳＡＤを出力する。ＳＡ誤差拡散部４４０は、その回路がメインパス部３００のＭ誤差拡散部３４０と同じであり、入力はＳＡＤであり、信号ＳＰＡを出力する。ＳＰＡの出力値は、図８のＭＫ列である。ＳＡ誤差拡散部４４０は、出力ＳＰＡの階調数を、メインパス部３００より小さくしてもよい。この場合、誤差拡散による変調になる。
【００６１】
＜サブパスＡ−２＞
次に、図９において、実施の形態２における多階調化処理部１のサブパスＡ部４００の変形例（第２の構成）を説明する。このサブパスＡ部（２）４００は、ＳＡ１歪補正ゲイン部４１０、ＳＡ１ディザ部４２１、ＳＡ１誤差拡散部４４１、ＳＡ１データ整合ＬＵＴ部４６０を有する構成である。
【００６２】
ＳＡ１歪補正ゲイン部４１０は、入力はＭＧＯであり、所定のゲインをかけて出力信号ＳＡＧ１を出力する。前記図８のパス間のデータ偏移において、Ｓ１ＳＦにおける「選択」の丸印の階調で、サブパスＡ部４００が表現できる選択された階調を示している。選択された階調は４２である。人の目の特性を考慮して、低階調側は細かい階調ステップで、階調が大きくなるに連れて、ステップの間隔を大きくしている。選択されない階調は、一番近い上下の階調を使って表現する。ＳＡ１歪補正ゲイン部４１０の出力ＳＡＧ１は、「ＳＡＧ１」の列に示している。
【００６３】
図１０において、サブパスＡ部４００の変形例（第２の構成）における、ＳＡ１歪補正ゲイン部４１０の入力（ＭＧＯ）と出力（ＳＡＧ１）の特性（ゲイン特性）を示している。出力は１ステップである。ＭＧＯは０から８７までの値であり、ＳＡＧ１は０から４２までの値である。
【００６４】
ＳＡ１ディザ部４２１は、ＳＡ１歪補正ゲイン部４１０の出力ＳＡＧ１を入力し、所定のディザ量で変調処理した信号ＳＡＤ１を出力する。この回路は、Ｍディザ部３２０と同じでもよい。
【００６５】
ＳＡ１誤差拡散部４４１は、ＳＡ１ディザ部４２１の出力ＳＡＤ１を入力し、出力がＳＡＥ１である。ＳＡ１誤差拡散部４４１の出力ＳＡＥ１の階調数は４２であり、６ビットである。これは、メインパス部３００よりも変調が強くなることになる。
【００６６】
ＳＡ１データ整合ＬＵＴ部４６０は、ＳＡ１誤差拡散部４４１の出力ＳＡＥ１を入力し、信号ＳＰＡを出力する。この入力と出力の階調数は同じであり、入力値が、図８の「ＳＡＧ１」の列の場合、出力値は、「Ｓ１Ｋ」の列の値に変換する。ＳＡ１データ整合ＬＵＴ部４６０は、図８のようなＬＵＴ（ルックアップテーブル）に基づき入出力のデータ整合の処理を行うものである。
【００６７】
前記図８において、サブパスＡ２では、ＳＡ１歪補正ゲイン部４１０の出力ＳＡＧ１が、０から４２の値に制御され、ＳＡ１データ整合ＬＵＴ部４６０の出力ＳＰＡが、入力の値に戻される。値の間隔は連続ではなく飛び飛びにされる。サブパスＢでも同様に制御処理される。
【００６８】
＜サブパスＢ＞
次に、図６において、多階調化処理部１のサブパスＢ部５００を説明する。サブパスＢ部５００は、ＳＢ歪補正ゲイン部５１０、ＳＢディザ部５２０、ＳＢ誤差拡散部５４０、ＳＢデータ整合ＬＵＴ部５６０を有する構成である。
【００６９】
ＳＢ歪補正ゲイン部５１０は、入力がＭＧＯであり、所定のゲインをかけて出力信号ＳＢＧを出力する。その機能は、ＳＡ１歪補正ゲイン部４１０と同じである。前記図８のサブパスＢ部５００のデータ偏移において、Ｓ２ＳＦの「選択」の列の丸印の階調は、サブパスＢ部５００が表現できる選択された階調を示している。選択された階調は、０を含め９である。ＳＢ歪補正ゲイン部５１０の出力ＳＢＧは、「ＳＢＧ」の列に示している。
【００７０】
図１１において、サブパスＢ部５００における、ＳＢ歪補正ゲイン部５１０の入力（ＭＧＯ）と出力（ＳＢＧ）の特性を示している。
【００７１】
ＳＢディザ部５２０は、ＳＢ歪補正ゲイン部５１０の出力ＳＢＧを入力し、ディザ処理による変調処理した信号ＳＢＤを出力する。その回路は、Ｍディザ部３２０と同じでよいが、ディザ階調設定、ディザ設定係数は異なる。そのディザ設定係数は０でもよい。
【００７２】
ＳＢ誤差拡散部５４０は、ＳＢディザ部５２０の出力ＳＢＤを入力し、誤差拡散処理して階調数９でビット数４の信号ＳＢＥを出力する。
【００７３】
ＳＢデータ整合ＬＵＴ部５６０は、ＳＢ誤差拡散部５４０の出力ＳＢＥを入力し、信号ＳＰＢを出力する。その入力と出力の階調数は同じであり、入力値が、前記図８のサブパスＢ部５００の「ＳＢＧ」の列の場合、出力値は、「Ｓ２Ｋ」の列の値に変換する。
【００７４】
＜動き検出部＞
次に、図６において、多階調化処理部１の動き検出部１００の構成を説明する。動き検出部１００は、エッジ検出部１１０、フレーム差分検出部１２０、動き量演算部１３０を有する構成である。
【００７５】
エッジ検出部１１０は、入力がＶＩＮであり、映像における注目画素と隣接画素との画素値の差分であるエッジ量ＥＧを出力する。フレーム差分検出部１２０は、ＶＩＮを入力し、注目フィールドの画素値と１フィールド前の同じ位置の画素値との差分であるフレーム差分量ＦＤを出力する。動き量演算部１３０は、ＥＧとＦＤを入力し、演算により、映像の動き量ＭＶを出力する。この演算方法は、例えばＦＤをＥＧで割る勾配法を用いる。
【００７６】
＜絵柄検出部＞
次に、図１２において、多階調化処理部１の絵柄検出部２００の構成を示している。絵柄検出部２００は、１Ｌ−Ｇ遅延部２２０等のメモリや遅延部、差分検出１Ｌ部２２３等の差分検出部、画素値比較部２２６、差分選択部２２７、連続カウンタ２２８、絵柄コーディング部２２９を有する構成である。
【００７７】
１Ｌ−Ｇ遅延部２２０は、ＶＩＮを入力し、Ｖ１Ｌ（１ライン分の遅延データ）を出力する。１Ｌ−１Ｄ−Ｇ（画素）遅延部２２１は、ＶＩＮを入力し、Ｖ１ＬＤ（１ライン−１画素分の遅延データ）を出力する。１Ｄ−Ｇ遅延部２２２は、ＶＩＮを入力し、Ｖ１Ｄ（１画素分の遅延データ）を出力する。差分検出１Ｌ部２２３は、ＶＩＮとＶ１Ｌを入力し、ＶＩＮとＶ１Ｌの差分値を検出して、ＧＲ１Ｌとして出力する。差分検出１ＤＬ部２２４は、ＶＩＮとＶ１ＬＤを入力し、ＶＩＮとＶ１ＬＤの差分値を検出して、ＧＲＤＬとして出力する。差分検出１Ｄ部２２５は、ＶＩＮとＶ１Ｄを入力し、ＶＩＮとＶ１Ｄの差分値を検出して、ＧＲ１Ｄとして出力する。差分選択部２２７は、ＧＲ１ＬとＧＲＤＬとＧＲ１Ｄを入力して、そのうち大きい値を選択して、ＤＥＦとして出力する。画素値比較部２２６は、ＶＩＮとＶ１Ｄを入力し、ＶＩＮとＶ１Ｄの値を比較して、一致していれば“０”、不一致であれば“１”となる信号ＧＲＣＬを出力する。連続カウンタ２２８は、ＧＲＣＬを入力し、ＧＲＣＬが“０”の場合、画素単位で１ずつカウントアップして、ＧＲＣＬが“１”の場合、そのカウンタ値をラッチして、出力ＣＮＴとして出力し、カウンタ値を“０”に設定する。絵柄コーディング部２２９は、ＤＥＦとＣＮＴを入力し、ＤＥＦの値が“０”の場合、ＣＮＴの値を選択し、ＤＥＦの値が“０”でない場合、ＤＥＦの値を選択して、エッジ量ＧＲとして出力する。
【００７８】
図１３において、絵柄検出部２００における絵柄コーディング部２２９の出力のＧＲのビットマップを示している。図１３（ａ）のＤＥＦ≠０の場合において、下位７ビットは、ＤＥＦの値である。ビット７，８（ＬＤ１，ＬＤ２）は、差分値が大きい隣接画素の位置を示す信号（最大値方向フラグ）である。ビット９は、“０”である。ビット７，８が“００”の場合は上の隣接画素、“０１”の場合は左上の隣接画素、“１０”の場合は左の隣接画素が選択されていることを示す。図１３（ｂ）のＤＥＦ＝０の場合において、下位７ビットは、ＣＮＴの値である。ビット７は、ＧＲＣＬの信号（階調変化フラグ）である。ビット８は“０”であり、ビット９は“１”である。ビット７が“０”の場合は変化無しを示し、“１”の場合は変化有りを示す。
【００７９】
図１４において、絵柄検出部２００におけるエッジ量ＧＲの検出方法を示している。グレーのＰは、注目画素である。エッジ量ＧＲの検出において、注目画素（Ｐ）と、その上（Ｖ１Ｌ）と左上（Ｖ１ＬＤ）と左（Ｖ１Ｄ）との３つの隣接画素とのそれぞれの差分を算出する。
【００８０】
＜桁変化検出部＞
次に、図１５において、多階調化処理部１の桁変化検出部６００の構成を示している。桁変化検出部６００は、桁値設定部（６１１〜６１４）、桁比較部（６１５〜６１８）、桁コーディング部６１９、１Ｌ−Ｒ遅延部６２０等の遅延部、コーディング差分比較部６２３、遅延部６２４、ＯＲ回路６２５を有する構成である。
【００８１】
桁値設定部（１）〜（Ｎ）６１１〜６１４では、桁上がりの階調に相当する信号レベルを設定する。桁比較回路部（１）〜（Ｎ）６１５〜６１８では、入力信号ＭＰ（またはＭＧＯ）と、桁値設定とを比較して、その比較結果である信号ＲＫＣ１〜ＲＫＣＮを出力する。ＲＫＣ１〜ＲＫＣＮは、入力ＭＰ（またはＭＧＯ）が大きい場合に“１”を、小さい場合に“０”を出力する。
【００８２】
桁コーディング部６１９は、ＲＫＣ１〜ＲＫＣＮを入力し、図４のＳＦ変換テーブルで変換された後のＳＦの桁に変換した信号ＲＫＣＤを出力する。１Ｌ−Ｒ遅延部６２０は、ＲＫＣＤを入力し、１ライン遅延した信号ＲＫＣＤ１Ｌ（１Ｌデータ）を出力する。１Ｄ−Ｒ遅延部６２１は、ＲＫＣＤを入力し、１画素遅延した信号ＲＫＣＤ１Ｄ（１Ｄ遅延データ）を出力する。１Ｌ−１Ｄ−Ｒ遅延部６２２は、ＲＫＣＤを入力し、ＲＫＣＤＬＤ（１Ｌ−１Ｄ遅延データ）を出力する。コーディング差分比較部６２３は、ＲＫＣＤと、ＲＫＣＤ１Ｌ，ＲＫＣＤ１Ｄ，ＲＫＣＤＬＤとを入力し、注目画素であるＲＫＣＤと、各隣接画素（１ライン分上の画素であるＲＫＣＤ１Ｌ、左隣の画素であるＲＫＣＤ１Ｄ、左上の画素であるＲＫＣＤＬＤ）との差分を比較して、何れかに差分が有れば、桁変化が有ることを検出し、無ければ桁変化が無いことを検出する。遅延部６２４は、コーディング差分比較部６２３の出力を遅延させる。ＯＲ回路６２５は、コーディング差分比較部６２３の出力と遅延部６２４の出力との論理和を演算し、桁上がり画素とその周辺の画素を検出し、検出結果である桁変化信号ＲＫを出力する。
【００８３】
図１６において、桁変化検出部６００における桁コーディング部６１９の符号化の構成を示している。「ＲＫＣＤ」の列における１０の位の値が、ＳＦ点灯パターンの桁数を示している。
【００８４】
＜Ｍディザ部＞
次に、図１７において、各実施の形態（２〜４）における、ディザ部の構成例を示している。実施の形態２としては、メインパス部３００におけるＭディザ部３２０の構成を示している。このうち、ディザ量演算部３３９は、実施の形態２では備えず、実施の形態３，４で備える。Ｍディザ部３２０は、ディザ階調設定部（３２２〜３２４）、ディザ係数設定部（３２５〜３２７）、ディザ階調比較部（３２８〜３３０）、ディザ階調検出部３３１、ディザ係数選択部３３２、ディザ加算部３３３、ディザ選択部３３８、ディザ減算部３３４、水平カウンタ部３３５、垂直カウンタ部３３６、フィールドトグル部３３７を有する構成である。Ｍディザ部３２０では、ディザ係数選択部３３２から変調量Ｍを出力する。ディザ処理自体は公知技術である。
【００８５】
図１８において、Ｍディザ部３２０等におけるディザ処理による変調処理を示している。縦横２画素で合計４画素を１つのブロックとして、そのブロックを一面にしている。Ｍはディザ量（変調量）である。（ａ）は、ｎ番目のフィールドの処理、（ｂ）は、ｎ＋１番目のフィールドの処理である。（ａ）ｎフィールドと（ｂ）ｎ＋１フィールドとでは、Ｍにおける＋と−の符号を反転させている構成である。
【００８６】
図１９において、Ｍディザ部３２０における、入力階調（ｉ）に対するディザ量（Ｍｉ）の関係を示している。一般に人は明るさが大きいほど明るさの違いを認識できなくなる。（ａ）では、入力値ｉに対し漸次的にディザ量Ｍｉを大きくしてある。（ｂ）では、所定の入力値Ａｉ以上で所定のディザ量Ｍｉを設定してある。（ｃ）では、特定の入力値ｉに対し、具体的には偽輪郭が発生する階調に相当する入力値ｉに対して、ディザ量Ｍｉを設定してあり、その入力値ｉが大きいほどディザ量Ｍｉも大きくしてある。（ｄ）では、（ａ）と同様に入力値ｉに対して漸次的にディザ量Ｍｉを大きくしてあるがディザ量Ｍｉの差分が大きくなっている。上記のいずれも分散の効果はある。またディザ量Ｍｉは、入力値ｉの関数：ｆ（ｉ）により表される。
【００８７】
＜Ｍ誤差拡散部＞
次に、図２０において、メインパス３００におけるＭ誤差拡散部３４０の構成を示している。Ｍ誤差拡散部３４０では、ゲイン部３１０で出力された３ビットの小数点の情報を空間的に表現する。Ｍ誤差拡散部３４０は、表示／誤差分離部３４１、加算部３４２，３４４、桁合わせ部３４３、メモリや遅延部（１Ｄ−Ｅ遅延部３４５等）、乗算部（Ｋ１倍部３４６等）を有する構成である。誤差拡散処理自体は公知技術である。
【００８８】
図２１において、Ｍ誤差拡散部３４０の拡散方法を示している。グレーのＰは、注目画素である。誤差拡散処理において、注目画素（Ｐ）に対して、左の隣接画素（ＥＶ１Ｄ）の誤差値をＫ１倍し、左上の隣接画素（ＥＶ１ＬＤ）の誤差値をＫ２倍し、上の隣接画素（ＥＶ１Ｌ）の誤差値をＫ３倍し、右上の隣接画素（ＥＶ１Ｌ）の誤差値をＫ４倍して、注目画素（Ｐ）の誤差値ＥＲＲと加算演算する。
【００８９】
＜歪補正ゲイン部＞
次に、図２２において、各実施の形態における歪補正ゲイン部の構成を示している。実施の形態２としては、ＳＢ歪補正ゲイン部５１０の構成を示している。ＳＢ歪補正ゲイン部５１０は、各演算部（５１１〜５１５）と、ゲイン選択部５１６とを有する構成である。歪補正ゲイン部におけるゲイン特性については、前記図１０，１１に示している。
【００９０】
Ａ０Ｘ＋Ｂ０演算部５１１は、ＶＩＮを入力し、Ａ０×ＶＩＮ＋Ｂ０を演算し、Ｌｎ０を出力する。同様に、Ａ１Ｘ＋Ｂ１演算部５１２は、ＶＩＮを入力し、Ａ１×ＶＩＮ＋Ｂ１を演算し、Ｌｎ１を出力する。同様に計Ｎ＋１個の演算を行って、Ｌｎ０〜ＬｎＮを出力する。ゲイン選択部５１６は、Ｌｎ０〜ＬｎＮとＶＩＮとを入力し、ＳＢＧを出力する。ＳＢＧは、ＶＩＮによってＬｎ０〜ＬｎＮのうち一つを選択された値である。
【００９１】
＜ＳＡディザ部−効果＞
次に、図２３において、実施の形態２におけるサブパスＡ部４００のＳＡディザ部４２０における、ディザ処理の効果（その１）を示している。（ａ）は、ディザ部に入力される原画像であり、右方向に１画素で１階調（ステップ）ずつ階調レベルが大きくなっている、緩やかなグラデーションの映像（ランプ信号）の場合である。なお、ＳＦ変換部８００は、前記図４のＳＦ変換テーブルによるＳＦ変換を行うものとする。この映像部分が、左右何れに動いていても、左から４画素目（階調が４３）と５画素目（階調が４４）の間に、１列に線状の偽輪郭が認識される可能性がある。（ｂ）は、（ａ）の原画像に対して変調量（ディザ量）Ｍ＝１で変調処理した場合である。この場合、認識される偽輪郭は、左から３画素目と４画素目、４画素目と５画素目、５画素目と６画素目の間に、規則正しく分散されて、（ａ）のように一直線上ではなくなっている。効果的に偽輪郭が分散されている。（ｃ）は、（ａ）の原画像に対して変調量Ｍ＝２で変調処理した場合である。認識される偽輪郭は、左から２画素目から８画素目の間の６列に規則正しく分散されて、（ａ）のように一直線上ではなくなっているが、ハッチ状（千鳥状）に偽輪郭（ノイズ）が認識される。
【００９２】
また、図２４において、同様にＳＡディザ部４２０のディザ処理の効果（その２）を示している。（ａ）は、原画像であり、右方向に１画素で２階調ずつ階調レベルが大きくなっている、グラデーションの映像（ランプ信号）の場合である。この映像部分が、左右何れに動いていても、左から４画素目（階調が４２）と５画素目（階調が４４）の間に、１列に線状の偽輪郭が認識される可能性がある。（ｂ）は、（ａ）に対して変調量Ｍ＝１で変調処理した場合である。認識される偽輪郭は、左から４画素目と５画素目、５画素目と６画素目の間に２列に規則正しく分散されて、（ａ）のように一直線上ではなくなっているが、この分散は、図２３（ｂ）程には広くない。（ｃ）は、（ａ）に対して変調量Ｍ＝２で変調処理した場合である。認識される偽輪郭は、左から３画素目と４画素目、４画素目と５画素目、５画素目と６画素目の間に、３列に規則正しく分散されて、（ａ）のように一直線上ではなくなっており、これは図２３（ｂ）と同じ効果である。
【００９３】
このように、ディザ処理の変調量（Ｍ）は、グラデーションの傾きの大きさ、つまりエッジ量ＧＲが大きいほど大きくしなければ、偽輪郭が分散されず効果が無い。しかしグラデーションの傾きが大きい部分では、ディザ処理の変調量（Ｍ）が大きすぎることによって、図２３（ｃ）のように明確な千鳥状の模様が認識されてしまうので、ディザ処理の適用が望ましくない。本実施の形態では、上記を考慮して、グラデーション（エッジ量ＧＲ）に応じて、適切なディザ処理の変調量（Ｍ）を選択する。具体的には、ＳＡディザ部４２０における処理結果が例えば図２３（ｂ）や図２４（ｃ）のようになるように選択する。
【００９４】
＜ＳＡ誤差拡散部−効果＞
次に、図２５において、サブパスＡ部４００のＳＡ誤差拡散部４４０における誤差拡散処理の効果（その１）を示している。（ａ）は、ＳＡ誤差拡散部４４０に入力される原画像であり、右方向に１画素で０．２５ステップずつ信号値レベルが大きくなっている、非常に緩やかなグラデーションの映像の場合である。この映像部分が左右何れに動いていても、左から５画素目（階調が４３．７５）と６画素目（階調が４４）の間に１列に線状の偽輪郭が認識される可能性がある。（ｂ）は、（ａ）の原画像に対して誤差拡散の出力を７ビットで処理した場合である。認識される偽輪郭は、左から３画素目と４画素目、４画素目と５画素目、５画素目と６画素目の間に３列に不規則に分散されて、（ａ）のように一直線上ではなくなっている。（ｃ）は、（ａ）の原画像に対して誤差拡散の出力を６ビットで処理した場合である。認識される偽輪郭は、左から１画素目から６画素目の間に６列に不規則に分散されて、（ａ）のように一直線上ではなくなっている。これは（ｂ）よりも広く分散されている。
【００９５】
また、図２６において、同様にＳＡ誤差拡散部４４０における誤差拡散処理の効果（その２）を示している。（ａ）は原画像であり、右方向に１画素で０．５ステップずつ信号値レベルが大きくなっている、緩やかなグラデーションの映像の場合である。この映像部分が左右何れに動いていても、左から５画素目（階調が４３．５）と６画素目（階調が４４）の間に１列に線状の偽輪郭が認識される可能性がある。（ｂ）は、（ａ）の原画像に対して誤差拡散の出力を７ビットで処理した場合である。認識される偽輪郭は、左から４画素目と５画素目、５画素目と６画素目の間に２列に分散されて、一直線上ではなくなっている。（ｃ）は、（ａ）の原画像に対して誤差拡散の出力を６ビットで処理した場合である。認識される偽輪郭は、左から２画素目と３画素目、３画素目と４画素目、４画素目と５画素目の間に３列に不規則に分散されて、一直線上ではなくなっている。これは（ｂ）よりも広く分散され、図２５（ｂ）と同じ程度に分散されている。
【００９６】
このように、誤差拡散処理は、グラデーションが非常に緩やかな場合、分散の効果があるが、グラデーションが大きくなると、誤差拡散の出力ビット数を小さくすることによって偽輪郭は分散されるが、階調数が小さくなる。動いている映像では、動体視力が劣るので誤差拡散の出力階調を小さくしてもよいが、静止している映像では誤差拡散の出力階調数を小さくするとよくない。本実施の形態では、上記を考慮して、グラデーション（エッジ量）に応じて、適切な出力ビット数を選択する。具体的には、ＳＡ誤差拡散部４４０における処理結果が例えば図２５（ｂ）や図２６（ｃ）のようになるように選択する。
【００９７】
＜ＳＢ−効果＞
次に、図３０及び図３１において、実施の形態２等におけるサブパスＢ部５００の処理（第２サブパス）による偽輪郭の低減の効果を示している。前記図２７〜図２９のような偽輪郭が発生する映像に対しての第２サブパスの処理による効果を示している。
【００９８】
図３０において、前記図２８と同じ映像の領域が同じく右方向に１フィールドで１画素動いている場合である。サブパスＢ部５００の処理を選択することにより、図２８の左から６画素目（Ｘ６：階調が６４）における、７番目と２番目と１番目のＳＦ（７ＳＦ，２ＳＦ，１ＳＦ）について、オフをオンに変える。これは階調値を６４から８７に変えることと同じである。これにより、左から６画素目（Ｘ６）で、認識される明るさが、４０から６３に改善される。即ち、エッジ部分が明瞭に認識されることになる。
【００９９】
また、図３１において、前記図２９と同じ映像の領域が同じく右方向に１フィールドで４画素動いている場合である。図２９では、認識される明るさは、左側から１５，１５，１２，４０，４０，６４，６４であるが、図３１では、サブパスＢ部５００の処理を選択することにより、図２９の左から６画素目（Ｘ６：階調が６４）における、７番目と２番目と１番目のＳＦ（７ＳＦ，２ＳＦ，１ＳＦ）について、オフをオンに変える。これにより、認識される明るさは、左側から１５，１５，１５，４０，６０，６４，６４に改善される。
【０１００】
＜制御（２−２）＞
次に、図３２において、実施の形態２の変形例（第２の構成）における処理の切り換え等の制御を前記図７と同様に示している。本制御では、エッジ量ＧＲがＦＬＴ以上でありＥＧよりも小さい場合、ディザ処理ではＭｉまたはオフの何れとしてもよく、パス選択ではサブパスＡを選択し、ＳＦパターン選択ではＳ１ＳＦを使って映像を表現する。上記以外の条件では前記図７の場合と同じである。
【０１０１】
以上説明したように、実施の形態２によれば、特にエッジ量ＧＲに応じて適切なパスに切り換えるため、動画像の表示時に、様々なグラデーションに対応して、偽輪郭などを低減または抑止して、画質を向上できる。
【０１０２】
（実施の形態３）
次に、図３３〜図３７等を参照しながら実施の形態３について説明する。実施の形態３は、特徴として、実施の形態２と同様に複数の処理のパスを切り替えると共に、第１サブパスでエッジ量ＧＲに応じた処理を行うものである。
【０１０３】
＜多階調化処理部（３）＞
図３３において、実施の形態３における多階調化処理部１の構成の概要を説明する。本構成では、異なる構成として、実施の形態２のサブパスＡ部４００の変形例であるサブパスＡ２部（第１サブパス部）４０１を備える。サブパスＡ２部４０１は、第１サブパスの処理として、ＭＧＯと絵柄検出部２００の出力のＧＲとを入力し、ＧＲによって変調量Ｍを変えて変調処理した信号ＳＰＡ２を出力する。
【０１０４】
実施の形態３における、メインパス、サブパスＡ２（第１サブパス）、サブパスＢ（第２サブパス）のデータ変換の偏移は、前記図８と同様である。
【０１０５】
＜制御（３−１）＞
次に、図３４において、実施の形態３の多階調化処理部１における処理の切り換え等の制御をまとめて示している。本制御では、エッジ量ＧＲがＦＬＴ以上でありＥＧよりも小さい場合、ディザ処理では変調量Ｍｇでの変調処理、パス選択ではサブパスＡ２を選択し、ＳＦパターン選択ではＭＳＦを使って映像を表現する。上記以外の条件では実施の形態２の制御の場合と同じである。
【０１０６】
＜サブパスＡ２−１＞
次に、図３３において、多階調化処理部１のサブパスＡ２部４０１の構成を説明する。サブパスＡ２部４０１は、ＳＡ２ディザ部４２２、ＳＡ２誤差拡散部４４２を有する構成である。
【０１０７】
ＳＡ２ディザ部４２２は、ＭＧＯと、絵柄検出部２００からのＧＲとを入力し、ディザ処理による変調処理した信号ＳＡＤ２を出力する。このディザによる変調は、図３５に示すようにＧＲに応じて変調係数が変わり、かつ前記図１９に示すように入力値によってディザ設定値が選択され、その変調係数とディザ設定値によって演算算出される。
【０１０８】
ＳＡ２誤差拡散部４４２は、ＳＡ２ディザ部４２２の出力ＳＡＤ２を入力し、８７階調の信号ＳＰＡ２を出力する。出力値は、図８のＭＫ列である。
【０１０９】
＜サブパスＡ２−２＞
次に、図３６において、サブパスＡ２部４０１の変形例（第２の構成）を説明する。サブパスＡ２部（２）４０１は、ＳＡ３歪補正ゲイン部４１１、ＳＡ３ディザ部４２３、ＳＡ３誤差拡散部４４３、ＳＡ３データ整合ＬＵＴ部４６３を有する構成である。サブパスＡ２部４０１に対して、サブパスＡ２部（２）４０１は、歪補正ゲイン部（４１１）とデータ整合ＬＵＴ部（４６３）を追加した構成である。
【０１１０】
ＳＡ３歪補正ゲイン部４１１は、入力がＭＧＯであり、所定のゲインをかけて出力信号ＳＡＧ３を出力する。その回路はＳＡ１歪補正ゲイン部４１０と同じである。ＳＡ３歪補正ゲイン部４１１のゲイン特性は、前記図１０と同様である。
【０１１１】
ＳＡ３ディザ部４２３は、ＳＡ３歪補正ゲイン部４１１の出力ＳＡＧ３と絵柄検出部２００からのＧＲとを入力し、ディザ処理による変調処理した信号ＳＡＤ３を出力する。その回路はＳＡ２ディザ部４２２と同じである。
【０１１２】
ＳＡ３誤差拡散部４４３は、ＳＡ３ディザ部４２３の出力ＳＡＤ３を入力し、誤差拡散処理して階調数が４２で６ビットの信号ＳＡＥ３を出力する。その回路はＳＡ１誤差拡散部４４１と同じである。
【０１１３】
ＳＡ３データ整合ＬＵＴ部４６３は、ＳＡ３誤差拡散部４４３の出力ＳＡＥ３を入力し、信号ＳＰＡ２を出力する。出力値は、図８のＳ１Ｋで、その回路はＳＡ１データ整合ＬＵＴ部４６０と同じである。
【０１１４】
＜ＳＡ２ディザ部＞
次に、サブパスＡ２部４０１におけるＳＡ２ディザ部４２２の構成は、前記図１７と同様である。ＳＡ２ディザ部４２２のディザ量演算部３３９では、ＭＶ，ＧＲ，ＲＫのうちＧＲのみを入力する。これは、ＭＶ＝０とＲＫ＝０を入力する構成としてもよい。
ディザ量演算部３３９は、ディザ係数選択部３３２から入力されるディザ係数に対して、ＧＲを用いてディザ量（Ｍ）を演算して出力する。
【０１１５】
前記図３５において、サブパスＡ２部４０１のＳＡ２ディザ部４２２における、エッジ量ＧＲと変調量Ｍｇとの関係を示している。（ａ）は、エッジ量ＧＲに対してディザ処理の変調係数Ｍｇが一次線形の関係である。（ｂ）は、所定のエッジ量未満では変調係数Ｍｇが０であり、所定のエッジ量以上では変調係数Ｍｇが所定の固定値となる関係である。（ｃ）は、エッジ量ＧＲに対して変調係数Ｍｇが、切片がマイナスの一次線形の関係である。（ｄ）はエッジ量ＧＲに対して変調係数Ｍｇが指数関数となる関係である。上記のいずれも、Ｍｇは、エッジ量ＧＲの関数：ｆ（ＧＲ）により表される。
【０１１６】
＜制御（３−２）＞
次に、図３７において、実施の形態３の変形例（第２の構成）における処理の切り換え等の制御を同様に示している。本制御では、エッジ量ＧＲがＦＬＴ以上でありＥＧよりも小さい場合、ディザ処理ではＭｇまたはオフの何れとしてもよく、パス選択ではサブパスＡ２を選択し、ＳＦパターン選択ではＳ１ＳＦを使って映像を表現する。上記以外の条件は図３２と同じである。
【０１１７】
以上説明したように、実施の形態３によれば、特にエッジ量ＧＲに応じて変調量を変えて変調処理するため、動画像の表示時に、様々なグラデーションに対応して、偽輪郭などを低減または抑止して、画質を向上できる。
【０１１８】
（実施の形態４）
次に、図３８〜図３９等を参照しながら実施の形態４について説明する。実施の形態４は、特徴として、実施の形態２と同様に複数の処理のパスを切り替えると共に、メインパスでＭＶ，ＧＲ，ＲＫに応じた処理を行うものである。
【０１１９】
＜多階調化処理部（４）＞
図３８において、実施の形態４における多階調化処理部１の構成の概要を説明する。本構成では、実施の形態２のサブパスＡ部４００は設けず、メインパス部３００とは異なる構成（第２の構成）のメインパス部（２）３０１を設けている。メインパス部（２）３０１は、メインパス（２）の処理として、入力画像信号ＶＩＮと、動き検出部１００の出力のＭＶと、絵柄検出部２００の出力のＧＲと、桁変化検出部６００の出力のＲＫとを入力し、多階調化処理した信号ＭＰ２を切換部（２）７０１に出力し、ＭＰ２と同じ階調数の信号ＭＧＯを桁変化検出部６００に出力する。メインパス部（２）３０１は、ＭＶが所定値以上であり、かつＲＫが“１”の場合、ＧＲをもとに算出された変調量Ｍによって変調処理する。
【０１２０】
＜制御（４）＞
次に、図３９において、実施の形態４の多階調化処理部１における処理の切り換え等の制御をまとめて示している。本制御では、表示対象の映像における、動き量ＭＶが所定値Ｘ以上であり、桁上がりが検出（ＲＫ＝１）された画素において、エッジ量ＧＲが所定値ＦＬＴより小さい場合、つまり平坦部の場合、ディザ処理ではＭｇでの変調処理またはオフの何れとしてもよく、パス選択ではメインパス（２）を選択し、ＳＦパターン選択ではＭＳＦを使って映像を表現する。また、エッジ量ＧＲがＦＬＴ以上でありＥＧよりも小さい場合、つまりグラデーションの場合、ディザ処理ではＭｇで変調処理し、パス選択ではメインパス（２）を選択し、ＳＦパターン選択ではＭＳＦで映像を表現する。また、エッジ量ＧＲがＥＧ以上である場合、つまりエッジ部分の場合、ディザ処理ではＭｉまたはオフとして、パス選択ではサブパスＢを選択し、ＳＦパターン選択ではＳ２ＳＦで映像を表現する。動き量と桁上がりの検出結果が上記以外の場合、ディザ処理ではＭｇまたはオフの何れとしてもよく、パス選択ではメインパス（２）を選択し、ＳＦパターン選択ではＭＳＦで映像を表現する。
【０１２１】
＜メインパス−２＞
同図３８において、多階調化処理部１のメインパス部（２）３０１の構成を説明する。メインパス部（２）３０１は、ゲイン部３１０、Ｍ２ディザ部３２１、Ｍ誤差拡散部３４０を有する構成である。
【０１２２】
Ｍ２ディザ部３２１は、動き検出部１００の出力ＭＶと、絵柄検出部２００の出力ＧＲと、桁変化検出部６００の出力ＲＫとを入力し、変調量Ｍによって変調処理した信号ＭＤＯ２を出力する。Ｍ２ディザ部３２１におけるディザ処理による変調処理では、動き量ＭＶが所定値以上であり、かつＲＫが“１”の画素の領域について、変調処理される。変調量Ｍは、前記図３５に示すようにＧＲをもとに算出される変調係数と、前記図１９に示すように入力値に関連するディザ量から算出される。またメインパス部（２）３０１は、ゲイン部３１０から、信号ＭＧＯを出力する。メインパス部（２）３０１の出力値は、図８のＭＫ列である。
【０１２３】
メインパス部（２）３０１におけるＭ２ディザ部３２１の構成は、前記図１７と同様である。Ｍ２ディザ部３２１のディザ量演算部３３９は、実施の形態３のＳＡ２ディザ部４２２のディザ量演算部３３９と同様の機能であるが、ＭＶ，ＧＲ，ＲＫのすべてを入力する。ディザ量演算部３３９は、ディザ係数選択部３３２の出力と、ＭＶ，ＧＲ，ＲＫを入力し、ディザ量（Ｍ）を出力する。
【０１２４】
以上説明したように、実施の形態４によれば、特にメインパスでエッジ量ＧＲに応じて変調量を変えて変調処理するため、動画像の表示時に、様々なグラデーションに対応して、偽輪郭などを低減または抑止して、画質を向上できる。
【０１２５】
以上、本発明者によってなされた発明を実施の形態に基づき具体的に説明したが、本発明は前記実施の形態に限定されるものではなく、その要旨を逸脱しない範囲で種々変更可能であることは言うまでもない。
【産業上の利用可能性】
【０１２６】
本発明は、表示部に対して多階調化したデータを表示処理するＰＤＰ装置などの表示装置に利用可能である。
【図面の簡単な説明】
【０１２７】
【図１】本発明の実施の形態における、多階調化処理手段を備える表示装置であるＰＤＰ装置の全体の構成を示す図である。
【図２】本発明の実施の形態の表示装置における、表示部（ＰＤＰ）の構造例を示す図である。
【図３】本発明の実施の形態の表示装置における、フィールド及びＳＦの構成を示す図である。
【図４】本発明の一実施の形態の表示装置における、ＳＦ変換テーブルのデータを示す図である。
【図５】本発明の実施の形態１の表示装置における、多階調化処理部の構成を示す図である。
【図６】本発明の実施の形態２の表示装置における、多階調化処理部の構成を示す図である。
【図７】本発明の実施の形態２の表示装置における、多階調処理部における処理の切り替え等の制御をまとめて示す図である。
【図８】本発明の実施の形態２等の表示装置における、メインパス、サブパスＡ、サブパスＢのデータ変換の偏移を示す図である。
【図９】本発明の実施の形態２の表示装置における、サブパスＡ部の変形例の構成を示す図である。
【図１０】本発明の実施の形態２の表示装置における、サブパスＡ部の変形例における、ＳＡ１歪補正ゲイン部のゲイン特性を示す図である。
【図１１】本発明の実施の形態２等の表示装置における、サブパスＢ部における、ＳＢ歪補正ゲイン部のゲイン特性を示す図である。
【図１２】本発明の実施の形態２の表示装置における、絵柄検出部の構成を示す図である。
【図１３】本発明の実施の形態２の表示装置における、絵柄検出部の絵柄コーディング部の構成を示す図である。
【図１４】本発明の実施の形態２の表示装置における、絵柄検出部のエッジ量の検出方法を示す図である。
【図１５】本発明の実施の形態２の表示装置における、桁変化検出部の構成を示す図である。
【図１６】本発明の実施の形態２の表示装置における、桁変化検出部の桁コーディング部の符号化の構成を示す図である。
【図１７】本発明の各実施の形態（２，３，４）の表示装置における、ディザ部｛メインパスのＭディザ部、メインパスのＭ２ディザ部、サブパスＡ１のＳＡ２ディザ部｝の構成を示す図である。
【図１８】本発明の各実施の形態（２，３，４）の表示装置における、ディザ部におけるディザ処理による変調処理を示す図である。
【図１９】（ａ）〜（ｄ）は、本発明の実施の形態２等の表示装置における、Ｍディザ部における、入力階調（ｉ）に対するディザ量（Ｍｉ）の関係を示す図である。
【図２０】本発明の実施の形態２の表示装置における、メインパスのＭ誤差拡散部の構成を示す図である。
【図２１】本発明の実施の形態２の表示装置における、メインパスのＭ誤差拡散部の拡散方法を示す図である。
【図２２】本発明の各実施の形態（２，３，４）の表示装置における、歪補正ゲイン部（ＳＢ歪補正ゲイン部など）の構成を示す図である。
【図２３】本発明の実施の形態２の表示装置における、サブパスＡ部のＳＡディザ部におけるディザ処理の効果（その１）を示す図である。
【図２４】本発明の実施の形態２の表示装置における、サブパスＡ部のＳＡディザ部におけるディザ処理の効果（その２）を示す図である。
【図２５】本発明の実施の形態２の表示装置における、サブパスＡ部のＳＡ誤差拡散部における誤差拡散処理の効果（その１）を示す図である。
【図２６】本発明の実施の形態２の表示装置における、サブパスＡ部のＳＡ誤差拡散部における誤差拡散処理の効果（その２）を示す図である。
【図２７】従来の表示装置の問題点である偽輪郭の発生原理（その１）を示す図である。
【図２８】従来の表示装置の問題点である偽輪郭の発生原理（その２）を示す図である。
【図２９】従来の表示装置の問題点である偽輪郭の発生原理（その３）を示す図である。
【図３０】実施の形態２等における、サブパスＢによる偽輪郭の低減の効果（その１）を示す図である。
【図３１】実施の形態２等における、サブパスＢによる偽輪郭の低減の効果（その２）を示す図である。
【図３２】本発明の実施の形態２の表示装置の変形例における、多階調処理部における処理の切り替え等の制御をまとめて示す図である。
【図３３】本発明の実施の形態３の表示装置における、多階調化処理部の構成を示す図である。
【図３４】本発明の実施の形態３の表示装置における、多階調処理部における処理の切り替え等の制御をまとめて示す図である。
【図３５】（ａ）〜（ｄ）は、本発明の実施の形態３の表示装置における、多階調化処理部のＳＡ２ディザ部におけるエッジ量と変調係数との関係を示す図である。
【図３６】本発明の実施の形態３の表示装置の変形例における、サブパスＡ２部の構成を示す図である。
【図３７】本発明の実施の形態３の表示装置の変形例における、多階調処理部における処理の切り替え等の制御をまとめて示す図である。
【図３８】本発明の実施の形態４の表示装置における、多階調化処理部の構成を示す図である。
【図３９】本発明の実施の形態４の表示装置における、多階調処理部における処理の切り替え等の制御をまとめて示す図である。
【符号の説明】
【０１２８】
１…多階調化処理部、２…フィールドメモリ部、３…駆動制御部、４…表示部、５…タイミング生成部、６…制御及び信号処理回路、１１…前面基板、１２…背面基板、２１…Ｘ電極、２２…Ｙ電極、２３，２６…誘電体層、２４…保護層、２５…アドレス電極、２７…隔壁、２８…蛍光体、１００…動き検出部、１１０…エッジ検出部、１２０…フレーム差分検出部、１３０…動き量演算部、２００…絵柄検出部（グラデーション検出部）、２２０…１Ｌ−Ｇ遅延部、２２１…１Ｌ−１Ｄ−Ｇ遅延部、２２２…１Ｄ−Ｇ遅延部、２２３…差分検出１Ｌ部、２２４…差分検出１ＤＬ部、２２５…差分検出１Ｄ部、２２６…画素値比較部、２２７…差分選択部、２２８…連続カウンタ部、２２９…絵柄コーディング部、３００…メインパス部、３０１…メインパス部（２）、３１０…ゲイン部、３２０…Ｍディザ部、３２１…Ｍ２ディザ部、３２２〜３２４…ディザ階調設定部、３２５〜３２７…ディザ係数設定部、３２８〜３３０…ディザ階調比較部、３３１…ディザ階調検出部、３３２…ディザ係数選択部、３３３…ディザ加算部、３３８…ディザ選択部、３３４…ディザ減算部、３３５…水平カウンタ部、３３６…垂直カウンタ部、３３７…フィールドトグル部、３３９…ディザ量演算部、３４０…Ｍ誤差拡散部、３４１…表示／誤差分離部、３４２，３４４…加算部、３４３…桁合わせ部、３４５…１Ｄ遅延部、３４６…Ｋ１倍部、３４７…１Ｌ−１Ｄ遅延部、３４８…Ｋ２倍部、３４９…１Ｌメモリ、３５０…Ｋ３倍部、３５１…１Ｌ＋１Ｄ遅延部、３５２…Ｋ４倍部、４００…サブパスＡ部（第１サブパス部）、４０１…サブパスＡ２部（第１サブパス部）、４１０…ＳＡ１歪補正ゲイン部、４１１…ＳＡ３歪補正ゲイン部、４２０…ＳＡディザ部、４２１…ＳＡ１ディザ部、４２２…ＳＡ２ディザ部、４２３…ＳＡ３ディザ部、４４０…ＳＡ誤差拡散部、４４１…ＳＡ１誤差拡散部、４４２…ＳＡ２誤差拡散部、４４３…ＳＡ３誤差拡散部、４６０…ＳＡ１データ整合ＬＵＴ部、４６３…ＳＡ３データ整合ＬＵＴ部、５００…サブパスＢ部（第２サブパス部）、５１０…ＳＢ歪補正ゲイン部、５１１〜５１５…演算部、５１６…ゲイン選択部、５２０…ＳＢディザ部、５４０…ＳＢ誤差拡散部、５６０…ＳＢデータ整合ＬＵＴ部、６００…桁変化検出部、６１１〜６１４…桁値設定部、６１５〜６１８…桁比較部、６１９…桁コーディング部、６２０…１Ｌ−Ｒ遅延部、６２１…１Ｄ−Ｒ遅延部、６２２…１Ｌ−１Ｄ−Ｒ遅延部、６２３…コーディング差分比較部、６２４…遅延部、６２５…ＯＲ回路、７００…切換部、７０１…切換部（２）、７１０…偽輪郭処置部、８００…ＳＦ変換部。
【図１】
2008051833.tif 000003
【図２】
2008051833.tif 000004
【図３】
2008051833.tif 000005
【図４】
2008051833.tif 000006
【図５】
2008051833.tif 000007
【図６】
2008051833.tif 000008
【図７】
2008051833.tif 000009
【図８】
2008051833.tif 000010
【図９】
2008051833.tif 000011
【図１０】
2008051833.tif 000012
【図１１】
2008051833.tif 000013
【図１２】
2008051833.tif 000014
【図１３】
2008051833.tif 000015
【図１４】
2008051833.tif 000016
【図１５】
2008051833.tif 000017
【図１６】
2008051833.tif 000018
【図１７】
2008051833.tif 000019
【図１８】
2008051833.tif 000020
【図１９】
2008051833.tif 000021
【図２０】
2008051833.tif 000022
【図２１】
2008051833.tif 000023
【図２２】
2008051833.tif 000024
【図２３】
2008051833.tif 000025
【図２４】
2008051833.tif 000026
【図２５】
2008051833.tif 000027
【図２６】
2008051833.tif 000028
【図２７】
2008051833.tif 000029
【図２８】
2008051833.tif 000030
【図２９】
2008051833.tif 000031
【図３０】
2008051833.tif 000032
【図３１】
2008051833.tif 000033
【図３２】
2008051833.tif 000034
【図３３】
2008051833.tif 000035
【図３４】
2008051833.tif 000036
【図３５】
2008051833.tif 000037
【図３６】
2008051833.tif 000038
【図３７】
2008051833.tif 000039
【図３８】
2008051833.tif 000040
【図３９】
2008051833.tif 000041